(57)【特許請求の範囲】
【請求項１】
車両内のフロント側に収納位置から使用位置にまで回動可能に設けられたサンバイザ基端部と、
前記サンバイザ基端部を回動可能に支える回動軸部と、
前記回動軸部から遠ざかる方向に前記サンバイザ基端部から引き出し可能に設けられたサンバイザ拡張部と、
前記サンバイザ基端部の使用位置から収納位置への戻り回動動作により前記サンバイザ拡張部を引き出し前の状態に戻す戻し手段と、
を有し、前記サンバイザ基端部と前記サンバイザ拡張部とは互いに別体として設けられ、前記サンバイザ拡張部は、前記サンバイザ基端部の一部の外側を覆うと共に前記サンバイザ基端部に摺動可能に保持されており、
さらに、前記戻し手段には、
一端が前記サンバイザ拡張部に接続された長尺材と、
前記長尺材の他の一端が係止され、前記サンバイザ基端部の戻り回動動作により前記長尺材を巻き取って前記サンバイザ拡張部を引き出し前の状態に戻す巻取り軸と、
が設けられている、ことを特徴とするサンバイザ。
【請求項２】
前記戻し手段には、前記回動軸部に固定された回動軸部ギアと、
前記巻取り軸に固定されているとともに前記回動軸部ギアと噛み合っていて、前記回動軸部ギアの周囲を公転しつつ自転する巻取り軸ギアと、
前記巻取り軸に固定され、前記長尺材の前記他の一端が取付けられているリール部と、
が更に設けられている、ことを特徴とする請求項１に記載のサンバイザ。
【発明の詳細な説明】
【技術分野】
【０００１】
本発明は、直射日光を遮るために車両内に設けられたサンバイザに関する。
【背景技術】
【０００２】
車両内のフロント側には、一般に、遮光のためのサンバイザが、車両内の天井に沿った収納位置から使用位置にまで回動可能なように設けられている。
【０００３】
ところで、サンバイザの遮光領域を必要に応じて下方へ拡張することができれば、太陽の高度が低くなったときでも直射日光を遮光することができる。このため、特許文献１では、サンバイザ本体と、このサンバイザ本体から引き出し可能なサンバイザ延長体とを設けることが提案されている。
【０００４】
しかし、特許文献１では、サンバイザを回転させて収納位置に収納する際、サンバイザ延長体を引き出している場合には、このサンバイザ延長体を引き出し前の位置に戻した後、サンバイザ本体を回転させるという２つの種類の操作が必要であり、使用者にとって操作が煩わしい。
【特許文献１】実開平５−４０００９号公報
【発明の開示】
【発明が解決しようとする課題】
【０００５】
本発明は、上記事実を考慮して、サンバイザ拡張部が設けられていても簡単な操作で収納させることができるサンバイザを提供することを課題とする。
【課題を解決するための手段】
【０００６】
請求項１に記載の発明は、車両内のフロント側に収納位置から使用位置にまで回動可能に設けられたサンバイザ基端部と、前記サンバイザ基端部を回動可能に支える回動軸部と、前記回動軸部から遠ざかる方向に前記サンバイザ基端部から引き出し可能に設けられたサンバイザ拡張部と、前記サンバイザ基端部の使用位置から収納位置への戻り回動動作により前記サンバイザ拡張部を引き出し前の状態に戻す戻し手段と、を有し、前記サンバイザ基端部と前記サンバイザ拡張部とは互いに別体として設けられ、前記サンバイザ拡張部は、前記サンバイザ基端部の一部の外側を覆うと共に前記サンバイザ基端部に摺動可能に保持されており、さらに、前記戻し手段には、一端が前記サンバイザ拡張部に接続された長尺材と、前記長尺材の他の一端が係止され、前記サンバイザ基端部の戻り回動動作により前記長尺材を巻き取って前記サンバイザ拡張部を引き出し前の状態に戻す巻取り軸と、が設けられている、ことを特徴とする。
【０００７】
請求項１に記載の発明では、乗員がサンバイザを使用する際、サンバイザ拡張部がサンバイザ基端部から引き出されて遮光領域が拡張する。サンバイザの使用後、乗員は、サンバイザ拡張部などに手をかけてサンバイザ基端部を収納位置に向けて回転させる。この回転に連動して、上記戻し手段によってサンバイザ拡張部が引き出し前の位置、すなわち収納位置に戻る。従って、サンバイザ拡張部を引き出し前の位置に戻す作業を行うことなくサンバイザを使用前の収納状態に戻すことができる。
【０００９】
また、サンバイザ基端部とサンバイザ拡張部とは互いに別体として設けられ、サンバイザ拡張部は、サンバイザ基端部の一部の外側を覆うと共にサンバイザ基端部に摺動可能に保持されている。このため、サンバイザの遮光領域を拡張させる際、サンバイザ拡張部はサンバイザ基端部に対して摺動しながら引き出されて保持される。また、サンバイザの使用後にサンバイザを収納位置に収納する際、サンバイザ拡張部はサンバイザ基端部に対して摺動しながら使用前の位置にまで戻る。従って、サンバイザ拡張部をサンバイザ基端部に対して確実に移動させることができる。
【００１３】
さらに、本発明では、長尺材の他の一端が巻取り軸に係止されているので、サンバイザ基端部の戻り回動動作に連動して巻取り軸が回転して長尺材が巻き取られることにより、サンバイザ拡張部が引き出し前の状態に引き戻される。従って、戻し手段の構成を、機械的な簡素な構成で確実に動作させる構成にすることができる。
【００１４】
請求項２に記載の発明は、前記戻し手段には、前記回動軸部に固定された回動軸部ギアと、前記巻取り軸に固定されているとともに前記回動軸部ギアと噛み合っていて、前記回動軸部ギアの周囲を公転しつつ自転する巻取り軸ギアと、前記巻取り軸に固定され、前記長尺材の前記他の一端が取付けられているリール部と、が更に設けられている、ことを特徴とする。
【００１５】
請求項２に記載の発明では、巻取り軸ギアが回動軸部ギアの周囲を公転しつつ自転すると、巻取り軸ギアが固定されている巻取り軸も公転しつつ自転するので、リール部も公転しつつ自転する。このリール部の自転により、長尺材の巻出し、巻取りが行われる。
【発明の効果】
【００１６】
本発明によれば、サンバイザ拡張部が設けられていても簡単な操作で収納させることができるサンバイザが実現される。
【発明を実施するための最良の形態】
【００１７】
以下、実施の形態について説明する。なお、第１実施形態は本発明の実施形態であり、第２実施形態は本発明の実施形態ではなく参考例とする。また、第２実施形態以下では、既に説明した構成要素と同様のものには同じ符号を付して、その説明を省略する。
【００１８】
［第１実施形態］
まず、第１実施形態について説明する。図１〜図９に示すように、本実施形態に係るサンバイザ１０は、車両内のフロント側の天井角部に取付けられる回動支持部材１４を備えている。この回動支持部材１４は、天井角部にねじ止め等により固定される被固定部１４Ｎと、略垂直軸まわりに回動可能なように被固定部１４Ｎから略垂直下方に延び出している回動基端部１４Ｖと、回動基端部１４Ｖに連続し、略水平方向に延びていて後述のサンバイザ基端部１２を回動可能に保持する回動軸部１４Ｈと、を備えている。
【００１９】
また、サンバイザ１０は、略水平方向の軸回りに回動可能なように、すなわち図１に示すように回動軸部１４Ｈの軸回り方向（Ｃ方向）に回動可能なように、回動軸部１４Ｈに保持されたサンバイザ基端部（サンバイザ本体部）１２を備えている。この構成により、サンバイザ基端部１２は、収納位置Ｒ（図１参照）から使用位置Ｕ（図３参照）までＣ方向（図１参照）に回動可能とされている。なお、図６〜図９に示すように、室内天井面を形成している天井基材１５には、サンバイザ１０の収納位置Ｒに見栄え良く収納できるように、収納状態でのサンバイザ１０の寸法に応じた段差部１５Ｓが形成されている。
【００２０】
更に、サンバイザ１０は、回動軸部１４Ｈに対して接離する方向（図４、図５に示すＷ方向）に移動可能に設けられたサンバイザ拡張部１６を備えている。サンバイザ基端部１２とサンバイザ拡張部１６とは別体であり、別々に製作されている。サンバイザ基端部１２及びサンバイザ拡張部１６は、何れも回動軸部１４Ｈの長手方向に長い薄箱状である。
【００２１】
図１〜図５に示すように、サンバイザ基端部１２は、回動軸部１４Ｈを覆っている略円筒状の基部１２Ｂと、基部１２Ｂに連続し回動軸部１４Ｈの長手方向（図１のＮ方向）に直交する方向に延び出している延出し部１２Ｅ（図４、図５参照）とを有する。
【００２２】
基部１２Ｂは、回動軸部１４Ｈの先端部を覆う先端覆部１２Ｔと、回動軸部１４Ｈの中央部から両端部近くまでを覆う中央覆部１２Ｍとを有する。中央覆部１２Ｍと先端覆部１２Ｔとの間では回動軸部１４Ｈの一部１４Ｐが露出しており、この露出した一部１４Ｐが車両内のフック（図示せず）に掛けられるようになっている。
【００２３】
また、延出し部１２Ｅは、基部１２Ｂの直径よりも短い肉厚の箱状であり、サンバイザ拡張部１６の内側に摺動可能に延び出している。延出し部１２Ｅの延び出し先端側は開口し、延出し部１２Ｅとサンバイザ拡張部１６との内部空間が連通している。
【００２４】
サンバイザ拡張部１６は、延出し部１２Ｅの外側を覆っていて乗員の手が掛けられる延出し部本体１６Ｍと、延出し部本体１６Ｍの先端側に連続する延出し部先端部１６Ｔとを有する箱状になっている。延出し部先端部１６Ｔの先端は湾曲形状で、乗員の掌に心地よい感触を与える形状にされている。
【００２５】
図４、図５に示すように、サンバイザ拡張部１６の両側部１６Ｓにはリブ状の凸部１７が形成されている。この凸部１７は、遮光領域を拡大、縮小する方向に沿って内側に向けて形成されている。サンバイザ基端部１２の両側部１２Ｓには、凸部１７をＷ方向（遮光領域を拡大、縮小する方向）に摺動可能に案内する凹部１３が形成されている。この構成により、サンバイザ拡張部１６は、サンバイザ基端部１２の表面に沿って確実に摺動可能となるようにサンバイザ基端部１２に保持されており、凸部１７と凹部１３との間に作用する摩擦力によって、任意の引き出し位置で、すなわち任意の拡張距離とされた位置でサンバイザ基端部１２に保持されるようになっている。
【００２６】
サンバイザ１０には、サンバイザ拡張部１６を引き出し前の状態に戻す戻し機構２０が設けられている。戻し機構２０には、テープ状の長尺材２２と、サンバイザ拡張部１６の先端部内壁に形成された長尺材取付部２４と、が設けられている。長尺材２２の一端はこの長尺材取付部２４に接続されている。
【００２７】
また、戻し機構２０には、長尺材２２を巻き取る巻取り軸２６と、この巻取り軸２６を回動可能に保持する図示しない軸受け部とが設けられている。軸受け部は、巻取り軸２６を、回動軸部１４Ｈの近傍で回動軸部１４Ｈよりもサンバイザ拡張部１６の側に回動軸部１４Ｈと平行に保持するように、サンバイザ基端部１２の内側に設けられている。そして、巻取り軸２６は、サンバイザ基端部１２の回動に伴って回動しながら回動軸部１４Ｈの周囲を円弧状の軌跡を描いて移動するようになっている。
【００２８】
更に、戻し機構２０には、収納位置Ｒに向けたサンバイザ基端部１２の回動移動に連動して巻取り軸２６を回動させる連動回動機構３０が設けられている。この連動回動機構３０は、回動軸部１４Ｈに固定された回動軸部ギア３２と、巻取り軸２６に固定されているとともに回動軸部ギア３２と噛み合っている巻取り軸ギア３４と、巻取り軸２６に固定され、長尺材２２の端部が取付けられているリール部３６と、で構成されている。従って、巻取り軸２６が回動軸部１４Ｈの周囲を移動すると、巻取り軸ギア３４が自転しつつ公転し、巻取り軸ギア３４のＭ１方向又はＭ２方向の自転により巻取り軸２６がＭ１方向又はＭ２方向に回転するようになっている。
【００２９】
戻し機構２０がこのような構成にされているので、サンバイザ基端部１２からサンバイザ拡張部１６が引き出された使用位置Ｕ（図４参照）から収納位置Ｒ（図１参照）に向けてサンバイザ基端部１２を回転移動させると、この回転移動に連動して長尺材２２がリール部３６に巻き取られ、サンバイザ拡張部１６が引き出し前の状態（図１、図６参照）に戻されるようになっている。
【００３０】
本実施形態では、巻取り軸ギア３４は巻取り軸２６の両端部にそれぞれ設けられており、これに対応して固定軸部ギア３２も２個設けられている。この構成により、巻取り軸２６には両端側から回転力が作用する。
【００３１】
また、リール部３６、長尺材２２、長尺材取付部２４はそれぞれ互いに離れて２組設けられており、使用位置Ｕ（図４参照）で引き出されているサンバイザ拡張部１６をスムーズに引き戻すことができる構成になっている。長尺材２２は、サンバイザ拡張部１６を引き戻す際に長尺材２２に加えられる張力や、サンバイザ拡張部１６の想定使用頻度を考慮して、充分な強度及び耐久性を有するように予め設定されている。
【００３２】
（作用、効果）
サンバイザ１０が収納されている状態では、図１に示すように、サンバイザ１０は、天井に沿った収納位置Ｒに収納されている。
【００３３】
サンバイザ１０を使用するには、乗員が、まず、サンバイザ拡張部１６に手をかけ、サンバイザ拡張部１６及びサンバイザ基端部１２を回動軸部１４Ｈの回りに収納位置Ｒから使用位置Ｕにまで手動で回転移動させる（図１〜図３、図６、図７参照）。その際、回動軸部ギア３２と噛み合っている巻取り軸ギア３４が、サンバイザ基端部１２の回転によって公転しつつＭ１方向に自転する（図２参照）。
【００３４】
巻取り軸ギア３４の公転により、巻取り軸ギア３４、及び巻取り軸２６、及びリール部３６は、サンバイザ拡張部１６が収納位置Ｒから使用位置Ｕにまで回転移動する際、サンバイザ拡張部１６と一緒に収納位置Ｒから使用位置Ｕにまで回転移動する。
【００３５】
そして、巻取り軸ギア３４の自転により巻取り軸２６もＭ１方向に自転するのでリール部３６もＭ１方向に自転し、リール部３６から長尺材２２が巻き出され、巻き出された長さ分だけサンバイザ拡張部１６を引き出すことが可能となる。サンバイザ１０を使用位置Ｕにまで回転移動させたときには長尺材２２が最も巻き出された状態（すなわち最も緩んだ状態）となっており（図３参照）、サンバイザ拡張部１６を図４に示す最大引き出し位置にまで引き出すことが可能となる。
【００３６】
そして、乗員は、サンバイザ拡張部１６をＷ２方向へ手動で任意の位置にまで引き出して手を離す。手を離しても、摩擦力によって凸部１７が凹部１３に保持されているので、手を離したときの引き出し長さが維持される。図４、図８は、サンバイザ拡張部１６を最大引き出し長さ（最大拡張距離）にまで引き出した状態を示す斜視図である。
【００３７】
このようにして使用位置Ｕでサンバイザ拡張部１６を引き出してサンバイザ１０を日除け等に用いた後、使用位置Ｕから収納位置Ｒにまでサンバイザ１０を戻す際、乗員は、サンバイザ拡張部１６又はサンバイザ基端部１２に手をかけ、手動で収納位置Ｒに向けて回転移動させる。
【００３８】
図５、図９に示すように、サンバイザ１０のこの回転移動では巻取り軸ギア３４がＭ２方向に回転するので、この回転移動に連動して巻取り軸２６もＭ２方向に回転する。従って、リール部３６もＭ２方向に回転するため、長尺材２２がリール部３６に巻き取られていき、長尺材２２に作用する張力によってサンバイザ拡張部１６がＷ１方向へ引っ張られて回動軸部１４Ｈの方向へ引き戻されていく。
【００３９】
図１、図６に示すように、収納位置Ｒにまでサンバイザ１０が回転移動すると、サンバイザ拡張部１６が収納位置Ｒにおける収納状態になるまで引き戻されてサンバイザ基端部１２と重ね合わさった状態になるとともに、巻取り軸２６の回転が停止する。
【００４０】
従って、サンバイザ拡張部１６をサンバイザ基端部１に対して押し込むなどの操作を乗員が行わなくても、このように、サンバイザ基端部１２を収納位置Ｒに向けて回転させる一度の動作によって、サンバイザ拡張部１６が連動して引き出し前の位置にまで戻る。
【００４１】
また、戻し機構２０や連動回動機構３０を、ギアを用いた簡素な構成で確実に動作させる構成にすることができる。
【００４２】
なお、リール部３６からの長尺材２２の巻き出し長さは、サンバイザ基端部１２の回動角度に比例する。従って、サンバイザ拡張部１６を最大引き出し長さにまで引き出さない場合であっても、サンバイザ１０を収納位置Ｒにまで戻すと、長尺材２２は巻き出し前の状態にまで巻き取られ、サンバイザ拡張部１６が使用前の状態にまで引き戻される。
【００４３】
また、サンバイザ１０を使用する際、サンバイザ拡張部１６を引き出しながらサンバイザ基端部１２及びサンバイザ拡張部１６を収納位置Ｒから使用位置Ｕにまで回転させることも可能である。
【００４４】
以上の説明では、サンバイザ拡張部１６が１個設けられている例で説明したが、本発明ではこれに限らず、図１０に示すように、延出し部１２Ｅの外側に薄箱状でＷ方向に摺動移動可能なサンバイザ中間拡張部３７と、サンバイザ中間拡張部３７の外側に薄箱状でＷ方向に摺動移動可能なサンバイザ先端側拡張部３８とが設けられたサンバイザ３９とし、長尺材取付部２４をサンバイザ先端側拡張部３８の先端内側に設けてもよい。これにより、サンバイザ３９の使用時に、回動軸部１４Ｈからサンバイザ３９の先端３９Ｔまでの距離Ｌを更に長くすることができるので、遮光領域を更に拡大させることができる。
【００４５】
更に、本実施形態では、長尺材２２が２本設けられている例で説明したが、サンバイザ１０を収納する際にサンバイザ拡張部１６がスムーズに引き戻される限り、長尺材２２の設けられている本数が１本であっても良く、また、３本以上設けられていても良い。また、本実施形態では、長尺材２２がテープ状の部材であるが、巻出し、巻取りが可能である限り、紐等の他の部材にすることも可能である。
【００４６】
［第２実施形態］
次に、第２実施形態について説明する。図１１〜図１３に示すように、本実施形態に係るサンバイザ４０では、第１実施形態に比べ、サンバイザ基端部１２及びサンバイザ拡張部１６に代えて、蛇腹式の伸縮可能なサンバイザ板４４が設けられていることが異なる。これ以外は第１実施形態と同様の構成である。
【００４７】
サンバイザ板４４は、サンバイザ基端部４２とサンバイザ拡張部４６とで構成されている。
【００４８】
サンバイザ基端部４２は、回動軸部１４Ｈを覆うように回動軸部１４Ｈに沿った細長形状にされており、第１実施形態で説明した基部１２Ｂ（図４参照）と略同等の形状にされている。
【００４９】
サンバイザ拡張部４６は、サンバイザ基端部４２に連続し、回動軸部１４Ｈに直交する方向（図１１のＮ方向）に伸縮可能な蛇腹部４８と、蛇腹部４８の先端側（Ｎ方向に直交する方向の側）に連続する平坦部４９とを備えている。
【００５０】
サンバイザ４０を使用するには、図１１に示すように収納位置Ｒに収納されたサンバイザの平坦部４９に乗員が手をかけ、図１２に示すように、サンバイザ４０を回動軸部１４Ｈの回りに使用位置Ｕにまで回転移動させる。その際、第１実施形態と同様、巻取り軸ギア３４が、サンバイザ４０の上記回転によって公転しつつ自転するので、巻取り軸２６も公転しつつ自転する。
【００５１】
巻取り軸２６の自転によりリール部３６も自転し、リール部３６から長尺材２２が巻き出され、巻き出された長さ分だけサンバイザ拡張部４６を引き出すことが可能となる。サンバイザ４０を使用位置Ｕにまで回動移動させたときには長尺材２２が最も巻き出された状態となっている。
【００５２】
そして、乗員は、図１３に示すように、サンバイザ拡張部４６を下方へ手動で引っ張ることにより、蛇腹部４８が伸びる。
【００５３】
サンバイザ４０を使用位置Ｕから収納位置Ｒへ戻す際、乗員は、平板部４６に手をかけ、手動で収納位置Ｒに向けて回転移動させる。サンバイザ４０のこの回転移動では巻取り軸ギア３４が連動して公転しつつ自転するので、巻取り軸２６も公転しつつ自転する。従って、リール部３６も公転しつつ自転するため、長尺材２２がリール部３６に巻き取られていき、サンバイザ拡張部４６も回動軸部１４Ｈの方向へ引き戻されていくので蛇腹部４８が縮んでいく。
【００５４】
図１１に示すように、収納位置Ｒにまでサンバイザ４０が回転移動すると、蛇腹部４８が収納位置Ｒにおける収納状態にまで縮むとともに、巻取り軸２６の回転が停止する。
【００５５】
従って、蛇腹部４８を縮める作業を乗員が行わなくても、このように回転させるという一度の動作を行うことにより、サンバイザ拡張部４６が連動して使用前の位置にまで戻る。
【００５６】
また、サンバイザ基端部４２とサンバイザ拡張部４６とが１つのサンバイザ板４４の構成部位であるので、第１実施形態に比べ、部品点数を低減させて構成を簡素にすることができる。
【００５７】
以上、実施の形態を説明したが、これらの実施形態は一例であり、要旨を逸脱しない範囲内で種々変更して実施できる。また、本発明の権利範囲が第１実施形態に限定されないことは言うまでもない。
【図面の簡単な説明】
【００５８】
【図１】第１実施形態で、収納位置におけるサンバイザを示す斜視図である。
【図２】第１実施形態で、収納位置から使用位置に向けてサンバイザを回動させていることを示す斜視図である。
【図３】第１実施形態で、収納位置から使用位置にまで到達したサンバイザを示す斜視図である。
【図４】第１実施形態で、使用位置でサンバイザ拡張部を最大引き出し長さとなるまで引き出した状態のサンバイザを示す斜視図である。
【図５】第１実施形態で、使用位置から収納位置に向けてサンバイザを回動させていることを示す斜視図である。
【図６】第１実施形態で、収納位置におけるサンバイザを示す側面断面図である。
【図７】第１実施形態で、収納位置から使用位置にまで到達したサンバイザを示す側面断面図である。
【図８】第１実施形態で、使用位置でサンバイザ拡張部を最大引き出し長さとなるまで引き出した状態のサンバイザを示す側面断面図である。
【図９】第１実施形態で、使用位置から収納位置に向けてサンバイザを回動させていることを示す側面断面図である。
【図１０】第１実施形態の変形例で、使用位置でサンバイザ拡張部を最大引き出し長さとなるまで引き出した状態のサンバイザを示す斜視図である。
【図１１】第２実施形態で、収納位置におけるサンバイザを示す斜視図である。
【図１２】第２実施形態で、収納位置から使用位置にまで到達したサンバイザを示す斜視図である。
【図１３】第２実施形態で、使用位置でサンバイザ拡張部を最大引き出し長さとなるまで引き出した状態のサンバイザを示す斜視図である。
【符号の説明】
【００５９】
１０  サンバイザ
１２  サンバイザ基端部
１４Ｈ  回動軸部
１６  サンバイザ拡張部
２０  戻し機構（戻し手段）
２２  長尺材
２６  巻取り軸
３２  回動軸部ギア
３４  巻取り軸ギア
３６  リール部
３８  サンバイザ拡張部
３９  サンバイザ
【図１】
0004735411.tif 000002
【図２】
0004735411.tif 000003
【図３】
0004735411.tif 000004
【図４】
0004735411.tif 000005
【図５】
0004735411.tif 000006
【図６】
0004735411.tif 000007
【図７】
0004735411.tif 000008
【図８】
0004735411.tif 000009
【図９】
0004735411.tif 000010
【図１０】
0004735411.tif 000011
【図１１】
0004735411.tif 000012
【図１２】
0004735411.tif 000013
【図１３】
0004735411.tif 000014